(57)【要約】【課題】本発明は持ち運びやすい野菜かごを開示した。【解決手段】本体及び固定板を含み、前記本体の中には野菜チャンバが設置され、前記野菜チャンバの中には閉鎖装置が設置され、前記閉鎖装置は前記野菜チャンバを閉鎖でき、前記閉鎖装置は空チャンバと、軸ロッドと、第一捩りばねと、閉鎖用布を含み、前記軸ロッドは前記空チャンバの中に設置され、前記軸ロッドの上には前記第一捩りばねが設置され、前記閉鎖用布は前記軸ロッドに巻き付いており、前記固定板の中には収納チャンバが設置され、前記収納チャンバの中にはローラー装置が設置され、前記ローラー装置は前記収納チャンバの中に設置された回転軸を含み、前記回転軸の上には第二捩りばねが設置される。【選択図】図１
2020175131.tif 000002
【特許請求の範囲】
【請求項１】
正面視で、本体及び固定板を含み、前記本体の中には野菜チャンバが設置され、前記野菜チャンバの中には閉鎖装置が設置され、前記閉鎖装置は前記野菜チャンバを閉鎖でき、前記閉鎖装置は空チャンバと、軸ロッドと、第一捩りばねと、閉鎖用布を含み、前記軸ロッドは前記空チャンバの中に設置され、前記軸ロッドの上には前記第一捩りばねが設置され、前記閉鎖用布は前記軸ロッドに巻き付いており、前記固定板の中には収納チャンバが設置され、前記収納チャンバの中にはローラー装置が設置され、前記ローラー装置は前記収納チャンバの中に設置された回転軸を含み、前記回転軸の上には第二捩りばねが設置され、前記回転軸の上には回転ロッドが設置され、前記回転ロッドの中にはローラー軸が設置され、前記ローラー軸の上にはローラーが回転可能に連結され、非使用時には、前記ローラーを前記収納チャンバの中に収納し、前記固定板の上には固定箱が設置され、前記固定箱の中には固定チャンバが設置され、前記固定チャンバの中には伸縮ロッドが設置され、前記伸縮ロッドは上に伸びられ、前記固定板の中には一側が開口した収容チャンバが設置され、前記収容チャンバの中にはペダルがスライド可能に設置され、前記ペダルの一側の端面には引き手が固定的に設置され、前記引き手で前記ペダルを引き出せ、ベダルとして使えることを特徴とする持ち運びやすい野菜かご。
【請求項２】
前記ローラー装置は前記固定板の中に設置され、且つ前記収納チャンバと連通した制御チャンバを含み、前記制御チャンバの頂壁にはリターンスプリングが固定的に設置され、前記リターンスプリングの下端には連結ロッドが固定的に設置され、前記連結ロッドの上には連結ブロックが固定的に設置され、また前記連結ブロックは下に前記収納チャンバの中まで伸びており、前記連結ブロックの上にはつめがヒンジで連結され、前記回転軸の上にはつめ車が固定的に設置され、前記つめ車と前記つめとが協働しており、前記固定板の中には前記制御チャンバと連通し、且つ下に開口した連通チャンバが設置され、前記連通チャンバの中には制御ロッドがスライド可能に設置され、前記制御ロッドの上端と前記連結ロッドとは固定的に連結され、それにより、前記回転ロッドが鉛直状態まで回転した後、前記制御ロッドを押せば、前記回転ロッドを収納できることを特徴とする請求項１に記載の持ち運びやすい野菜かご。
【請求項３】
前記閉鎖装置は左側に位置する前記閉鎖用布の一端と固定的に連結された穴開きブロックを含み、右側に位置する前記閉鎖用布の一端にはとめ金が固定的に設置され、前記とめ金は前記穴開きブロックの中に挿入可能であり、
また、前記伸縮ロッドの上端にはグリップが固定的に設置され、前記ペダルの前後端面には位置制限ブロックが対称的、かつ固定的に設置され、前記本体の前後端面には収納溝が対称的に設置され、前記収納溝の中には旋転軸が設置され、前記旋転軸の上にはハンドルが回転可能に設置され、使用時、前記ハンドルを前記収納溝の中から回し出すことを特徴とする請求項１に記載の持ち運びやすい野菜かご。
【発明の詳細な説明】
【技術分野】
【０００１】
本発明は野菜かご分野を取り上げて、具体的には持ち運びやすい野菜かごである。
【背景技術】
【０００２】
野菜を買う時、野菜かごはよく使われている。しかし、野菜を買い過ぎて、一般的な女性には持ち運べにくいため、本装置を提供する。
【先行技術文献】
【特許文献】
【０００３】
【特許文献１】中国特許出願公開第１０６０６３５７０号明細書
【発明の概要】
【発明が解決しようとする課題】
【０００４】
本発明の目的は持ち運びやすい野菜かごを提供し、それは上記の現在の技術中の問題を解決できる。
【課題を解決するための手段】
【０００５】
上記の課題を解決するため、本発明は以下の技術プランを採用する：持ち運びやすい野菜かごは、本体及び固定板を含み、前記本体の中には野菜チャンバが設置され、前記野菜チャンバの中には閉鎖装置が設置され、前記閉鎖装置は前記野菜チャンバを閉鎖でき、前記閉鎖装置は空チャンバと、軸ロッドと、第一捩りばねと、閉鎖用布を含み、前記軸ロッドは前記空チャンバの中に設置され、前記軸ロッドの上には前記第一捩りばねが設置され、前記閉鎖用布は前記軸ロッドに巻き付いており、前記固定板の中には収納チャンバが設置され、前記収納チャンバの中にはローラー装置が設置され、前記ローラー装置は前記収納チャンバの中に設置された回転軸を含み、前記回転軸の上には第二捩りばねが設置され、前記回転軸の上には回転ロッドが設置され、前記回転ロッドの中にはローラー軸が設置され、前記ローラー軸の上にはローラーが回転可能に連結され、非使用時には、前記ローラーを前記収納チャンバの中に収納し、前記固定板の上には固定箱が設置され、前記固定箱の中には固定チャンバが設置され、前記固定チャンバの中には伸縮ロッドが設置され、前記伸縮ロッドは上に伸びられ、前記固定板の中には一側が開口した収容チャンバが設置され、前記収容チャンバの中にはペダルがスライド可能に設置され、前記ペダルの一側の端面には引き手が固定的に設置され、前記引き手で前記ペダルを引き出せ、ベダルとして使える。
【０００６】
優選的には、前記ローラー装置は前記固定板の中に設置され、且つ前記収納チャンバと連通した制御チャンバを含み、前記制御チャンバの頂壁にはリターンスプリングが固定的に設置され、前記リターンスプリングの下端には連結ロッドが固定的に設置され、前記連結ロッドの上には連結ブロックが固定的に設置され、また前記連結ブロックは下に前記収納チャンバの中まで伸びており、前記連結ブロックの上にはつめがヒンジで連結され、前記回転軸の上にはつめ車が固定的に設置され、前記つめ車と前記つめとが協働しており、前記固定板の中には前記制御チャンバと連通し、且つ下に開口した連通チャンバが設置され、前記連通チャンバの中には制御ロッドがスライド可能に設置され、前記制御ロッドの上端と前記連結ロッドとは固定的に連結され、それにより、前記回転ロッドが鉛直状態まで回転した後、前記制御ロッドを押せば、前記回転ロッドを収納できる。
【０００７】
前記閉鎖装置は左側に位置する前記閉鎖用布の一端と固定的に連結された穴開きブロックを含み、右側に位置する前記閉鎖用布の一端にはとめ金が固定的に設置され、前記とめ金は前記穴開きブロックの中に挿入可能であり、
また、前記伸縮ロッドの上端にはグリップが固定的に設置され、前記ペダルの前後端面には位置制限ブロックが対称的、かつ固定的に設置され、前記本体の前後端面には収納溝が対称的に設置され、前記収納溝の中には旋転軸が設置され、前記旋転軸の上にはハンドルが回転可能に設置され、使用時、前記ハンドルを前記収納溝の中から回し出す。
【発明の効果】
【０００８】
本発明はシンプルな構成と簡単な操作方法を有し、野菜を買い終えた後に、野菜かごを閉じられ、路上の揺れによるこぼれ落ちを防げ、また、本発明のローラーを引き出せば、キックスケーターとして使え、手で野菜を提げる必要なく、使用者の負担を大幅に下げられる。
【図面の簡単な説明】
【０００９】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の持ち運びやすい野菜かごの全体構造略図
【図２】図２は図１におけるＡ―Ａの構造略図
【図３】図３は図１におけるＢ―Ｂの構造略図
【図４】図４は図１におけるＣ―Ｃの構造略図
【図５】図５は図１におけるＤ―Ｄの構造略図
【発明を実施するための形態】
【００１１】
図１〜５が示したように、本発明の持ち運びやすい野菜かごは、本体１４及び固定板１０を含み、前記本体１４の中には野菜チャンバ３３が設置され、前記野菜チャンバ３３の中には閉鎖装置２００が設置され、前記閉鎖装置２００は前記野菜チャンバ３３を閉鎖でき、前記閉鎖装置２００は空チャンバ３１と、軸ロッド３２と、第一捩りばね３０と、閉鎖用布４２を含み、前記軸ロッド３２は前記空チャンバ３１の中に設置され、前記軸ロッド３２の上には前記第一捩りばね３０が設置され、前記閉鎖用布４２は前記軸ロッド３２に巻き付いており、前記固定板１０の中には収納チャンバ２３が設置され、前記収納チャンバ２３の中にはローラー装置１００が設置され、前記ローラー装置１００は前記収納チャンバ２３の中に設置された回転軸２７を含み、前記回転軸２７の上には第二捩りばね３６が設置され、前記回転軸２７の上には回転ロッド２６が設置され、前記回転ロッド２６の中にはローラー軸２５が設置され、前記ローラー軸２５の上にはローラー１８が回転可能に連結され、非使用時には、前記ローラー１８を前記収納チャンバ２３の中に収納し、前記固定板１０の上には固定箱１２が設置され、前記固定箱１２の中には固定チャンバ４０が設置され、前記固定チャンバ４０の中には伸縮ロッド４１が設置され、前記伸縮ロッド４１は上に伸びられ、前記固定板１０の中には一側が開口した収容チャンバ３８が設置され、前記収容チャンバ３８の中にはペダル３９がスライド可能に設置され、前記ペダル３９の一側の端面には引き手３７が固定的に設置され、前記引き手３７で前記ペダル３９を引き出せ、ベダルとして使える。
【００１２】
好ましくは、前記ローラー装置１００は前記固定板１０の中に設置され、且つ前記収納チャンバ２３と連通した制御チャンバ２２を含み、前記制御チャンバ２２の頂壁にはリターンスプリング１９が固定的に設置され、前記リターンスプリング１９の下端には連結ロッド２１が固定的に設置され、前記連結ロッド２１の上には連結ブロック１７が固定的に設置され、また前記連結ブロック１７は下に前記収納チャンバ２３の中まで伸びており、前記連結ブロック１７の上にはつめ２４がヒンジで連結され、前記回転軸２７の上にはつめ車２８が固定的に設置され、前記つめ車２８と前記つめ２４とが協働しており、前記固定板１０の中には前記制御チャンバ２２と連通し、且つ下に開口した連通チャンバ２９が設置され、前記連通チャンバ２９の中には制御ロッド１１がスライド可能に設置され、前記制御ロッド１１の上端と前記連結ロッド２１とは固定的に連結され、それにより、前記回転ロッド２６が鉛直状態まで回転した後、前記制御ロッド１１を押せば、前記回転ロッド２６を収納できる。
【００１３】
好ましくは、前記閉鎖装置２００は左側に位置する前記閉鎖用布４２の一端と固定的に連結された穴開きブロック３４を含み、右側に位置する前記閉鎖用布４２の一端にはとめ金３５が固定的に設置され、前記とめ金３５は前記穴開きブロック３４の中に挿入可能であり、
また、前記伸縮ロッド４１の上端にはグリップ１３が固定的に設置され、前記ペダル３９の前後端面には位置制限ブロック４３が対称的、かつ固定的に設置され、前記本体１４の前後端面には収納溝１６が対称的に設置され、前記収納溝１６の中には旋転軸１５が設置され、前記旋転軸１５の上にはハンドル２０が回転可能に設置され、使用時、前記ハンドル２０を前記収納溝１６の中から回し出す。
【００１４】
前記持ち運びやすい野菜かごの具体的実施例は、以下の手順を含み：
【００１５】
使用時には、野菜を野菜チャンバ３３の中に入れ、買い終えた後、閉鎖用布４２を引っ張り、とめ金３５を穴開きブロック３４の中に挿入することで、野菜チャンバ３３を閉鎖し、揺れによる野菜のこぼれ落ちを防げ、回転ロッド２６を回し出し、ローラー１８を地面に当接させ、グリップ１３を引っ張ることで伸縮ロッド４１を延長させ、右にハンドル３７を引っ張り、ペダル３９を引き出し、この時使用者はペダル３９に足を乗せ、両手でグリップ１３を握り、片足で地面を踏めば前進できる。
【００１６】
使用終えた後、制御ロッド１１を押して、制御ロッド１１は連結ロッド２１を上に連動させることで、連結ブロック１７を上に連動させ、つめ２４とつめ車２８とが離脱し、第二捩りばね３６の復位によって、回転軸２７を回転させ、さらに回転ロッド２６を収納チャンバ２３の中に収納させ、グリップ１３を下に強く押して、伸縮ロッド４１を収納し、引き手３７を左に動かし、ペダル３９を収納する。
【００１７】
本発明はシンプルな構成と簡単な操作方法を有し、野菜を買い終えた後に、野菜かごを閉じられ、路上の揺れによるこぼれ落ちを防げ、また、本発明のローラーを引き出せば、キックスケーターとして使え、手で野菜を提げる必要なく、使用者の負担を大幅に下げられる。
【００１８】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【図１】
2020175131.tif 000003
【図２】
2020175131.tif 000004
【図３】
2020175131.tif 000005
【図４】
2020175131.tif 000006
【図５】
2020175131.tif 000007